(57)【要約】【課題】デジタル放送の番組を視聴中にデータ放送にて放送されている施設情報を有効に活用することができるナビゲーション装置を提供する。【解決手段】受信中の番組の内容に関連した施設情報を受信した場合（Ｓ３０５：Ｙｅｓ）、ユーザに対しその施設情報を記憶させるか否かの問い合わせを行う（Ｓ４０４、Ｓ４３２）。そして、ユーザが必要とする施設情報をナビゲーション装置に記憶させ（Ｓ４１６、Ｓ４４０）、さらに、ユーザの求めに応じてその施設情報に係る施設までの経路案内を行うことができる（Ｓ５３０、Ｓ６３０、Ｓ６５０）。【選択図】図５
2008219510.tif 000002
【特許請求の範囲】
【請求項１】
デジタル放送の受信が可能なデジタル放送受信装置であって、
デジタル放送を受信するデジタル放送受信手段と、
ユーザが視聴している番組に係るデータ放送又は広告放送に係るデータ放送を前記デジタル放送受信手段が受信した際、番組又は広告放送の内容に関連する施設情報を抽出する施設情報抽出手段と、
ユーザに対し種々の情報を報知する報知手段と、
ユーザの操作を受け付ける受付手段と、
種々の情報を記憶する記憶手段と、
種々の制御を行う制御手段と、
を備え、
前記制御手段は、
前記施設情報抽出手段が抽出した前記施設情報を前記報知手段を介して報知すると同時に、その施設情報を前記記憶手段に記憶させるか否かをユーザに問い合わせる問合せ処理を行い、
前記問合せ処理の間、前記受付手段を介して、前記問合せ処理に係る前記施設情報を記憶させるか否かの選択を受け付け、
その結果、前記施設情報を前記記憶手段に記憶させる選択を受け付けた場合、その施設情報を前記記憶手段に記憶させること、
を特徴とするデジタル放送受信装置。
【請求項２】
請求項１に記載のデジタル放送受信装置において、
前記制御手段は、前記問合せ処理に係る前記施設情報が、番組の内容に関連する施設情報であるか、又は広告放送の内容に関連する施設情報であるかを明示する態様により前記問合せ処理を行うこと、
を特徴とするデジタル放送受信装置。
【請求項３】
請求項１又は請求項２に記載のデジタル放送受信装置において、
前記制御手段は、前記施設情報抽出手段が前記施設情報を抽出した後から、抽出後、所定の時間が経過するまで、継続してその施設情報に係る前記問合せ処理を行い、前記所定の時間が経過した際、前記問合せ処理を終了すること、
を特徴とするデジタル放送受信装置。
【請求項４】
請求項１又は請求項２に記載のデジタル放送受信装置において、
前記制御手段は、前記施設情報抽出手段が前記施設情報を抽出した後から、その施設情報を受信した際に受信していた番組又は広告放送が終了した後所定の時間が経過するまで、継続して前記問合せ処理を行い、前記所定の時間が経過した際、前記問合せ処理を終了すること、
を特徴とするデジタル放送受信装置。
【請求項５】
請求項１又は請求項２に記載のデジタル放送受信装置において、
前記制御手段は、前記施設情報抽出手段が前記施設情報を抽出した後から、新たな前記施設情報を抽出するまで、継続して前記問合せ処理を行い、前記施設情報抽出手段が新たな前記施設情報を抽出した際、前記問合せ処理を終了すること、
を特徴とするデジタル放送受信装置。
【請求項６】
請求項１から請求項４のいずれかに記載のデジタル放送受信装置において、
前記報知手段は表示機能を有しており、
前記制御手段は、前記問合せ処理の最中に前記施設情報抽出手段が新たな前記施設情報
を抽出した場合、前記問合せ処理において、実行中の問合せ処理に係る前記施設情報と、新たに抽出した前記施設情報とを前記報知手段に一覧形式で表示させ、これらの施設情報を前記記憶手段に記憶させるか否かをユーザに問い合わせること、
を特徴とするデジタル放送受信装置。
【請求項７】
請求項１から請求項６のいずれかに記載のデジタル放送受信装置において、
前記制御手段は、前記施設情報抽出手段が抽出した前記施設情報を前記記憶手段に記憶させる条件の入力を前記受付手段を介して受け付け、前記施設情報抽出手段により抽出された前記施設情報のうち、前記条件に合致する前記施設情報については、前記問合せ処理を行うことなく前記記憶手段に記憶させること、
を特徴とするデジタル放送受信装置。
【請求項８】
請求項１から請求項７のいずれかに記載のデジタル放送受信装置において、
前記制御手段は、前記記憶手段に記憶されている前記施設情報の全部又は一部の情報を、前記報知手段を介してユーザに報知すること、
を特徴とするデジタル放送受信装置。
【請求項９】
請求項８に記載のデジタル放送受信装置において、
前記制御手段は、前記受付手段を介して、前記記憶手段に記憶されている前記施設情報の選択を受け付け、選択された前記施設情報を前記記憶手段から削除すること、
を特徴とするデジタル放送受信装置。
【請求項１０】
車載用のナビゲーション装置であって、
前記ナビゲーション装置は請求項１から請求項９のいずれかに記載のデジタル放送受信装置を備えており、
前記デジタル放送受信装置が備える記憶手段に記憶されている前記施設情報を報知する施設情報報知手段と、
前記施設情報報知手段により表示されている前記施設情報のユーザによる選択を受け付ける選択受付手段と、
施設の位置を特定する位置情報とその施設の内容に関する情報とを少なくとも含む施設検索情報、及び経路案内に必要な地図データを入力する地図情報入力手段と、
前記地図情報入力手段から入力される前記施設検索情報を参照し、前記選択受付手段を介してユーザにより選択された前記施設情報に係る施設の前記位置情報を検索する施設検索手段と、
前記選択受付手段を介してユーザにより選択された前記施設情報に含まれている前記位置情報、又は前記施設検索手段により検索された前記位置情報に基づき、前記地図情報入力手段から入力される前記地図データから経路を算出し、その経路に基づき経路案内を行う経路案内手段と、
を備えること、
を特徴とするナビゲーション装置。
【請求項１１】
コンピュータを、請求項１から請求項９のいずれかに記載のデジタル放送受信装置の前記制御手段として機能させるためのプログラム。
【請求項１２】
コンピュータを、請求項１０に記載のナビゲーション装置の前記施設検索手段又は前記経路案内手段として機能させるためのプログラム。
【発明の詳細な説明】
【技術分野】
【０００１】
本発明は、デジタル放送受信装置及びデジタル放送を受信することができるナビゲーション装置に関する。
【背景技術】
【０００２】
現在、人工衛星を使用したＢＳデジタルテレビ放送及びＣＳデジタルテレビ放送と、地上波を使用した地上デジタルテレビ放送が行われている。地上デジタルテレビ放送には、固定向けの放送と、移動体向けの放送（いわゆるワンセグ）の２種類が存在する。また、現在、人工衛星を使用したＢＳデジタルラジオ放送が行われている。そして、地上波を使用した地上デジタルラジオ放送も近い将来に実用化される予定である。
【０００３】
これらデジタルテレビ放送、デジタルラジオ放送では、テレビやラジオによる番組や広告放送を放送するのと同時にデータ放送が行われる。このデータ放送により放送されるコンテンツは主にＢＭＬ（Broadcast Markup Language）により記述されており、これらのコンテンツは文字、画像等から構成される。データ放送では、デジタルテレビ放送やデジタルラジオ放送で放送されている番組等の内容に関連する情報の提供が行われている。
【０００４】
一方、ナビゲーション装置を使用して経路案内を行う際、目的地の場所が明確になっていない場合、目的地の名称、電話番号、住所等の施設情報を入力することにより、ナビゲーション装置が有するデータベースからその目的地を検索することができる。これらの施設情報が明確で無い場合は、インターネットを介してサーバと通信し、漠然とした情報から施設情報を検索する方法等が知られている。しかし、情報があまりに漠然とし過ぎている場合や、そもそも情報が間違っている場合等、ユーザの希望に合致した目的地に係る施設情報を検索するまでに長い時間を要するか、もしくはその施設情報の検索を行うことができないといった場合がある。
【０００５】
ユーザが車内でＴＶやラジオ等を視聴している際に、視聴中の番組等にて紹介された場所等に行ってみたくなった場合、その場所までの経路案内を行うためナビゲーション装置でその場所を検索すると予想される。しかし、上述した様に、ユーザがその番組等で得た情報を正確にナビゲーション装置に入力しないと、その番組等で紹介された場所を検索することができない場合がある。
【０００６】
このような問題に鑑み、特許文献１に記載の発明では、ＴＶ放送やラジオ放送を視聴している際に得た情報をサーバに送信し、放送された内容に関連する商品やサービスの情報をダウンロードするという方法が提案されている。しかし、この発明は管理サーバと車載装置が双方向通信を行うことが前提となっており、電波の受信状態が悪い場合や回線が混雑している場合等には円滑に情報を取得することができないと考えられる。
【特許文献１】国際公開番号  ＷＯ２００４／１１１８８０
【発明の開示】
【発明が解決しようとする課題】
【０００７】
デジタルテレビ放送やデジタルラジオ放送を受信することができるデジタル放送受信装置の中には車載用の製品も存在し、上述したデータ放送は車両内においても受信することができる。データ放送にて送信される情報には多くの情報が含まれており、施設名称、電話番号、住所といった施設情報や、ナビゲーション装置が有する地図データ上の場所を示す情報である位置情報等を受信することができる。そして、ユーザは、これらの施設情報に基づき、ナビゲーション装置が有するデータベースから施設を検索したり、位置情報が
示す場所を目的地として経路案内を受けることが可能である。
【０００８】
しかし、データ放送を介して得た情報に基づきナビゲーション装置にて目的地の検索を行う場合、ユーザはナビゲーション装置に施設名称等の施設情報を入力する必要がある。例えば、ユーザが車両内にてデジタルテレビ放送やデジタルラジオ放送にて視聴中の番組等で紹介された場所に行きたくなり、ナビゲーション装置に経路案内をさせる場合、次の様な作業を行う必要がある。
【０００９】
１、その番組等に関連するデータ放送が行われているか否か確認する。
２、データ放送が行われている場合、そのデータ放送にて放送されている施設情報を探してユーザ自身が記憶する。
【００１０】
３、ナビゲーション装置にこれらの施設情報を入力する。
この作業は、ユーザにとって大きな負担となる。
本発明は上記課題を解決する為になされたものであり、デジタル放送のデータ放送から得られる情報を有効に活用し、利便性の高いデジタル放送受信装置及びナビゲーション装置を提供することを目的とする。
【課題を解決するための手段】
【００１１】
上記課題を解決するためになされた請求項１に記載のデジタル放送受信装置は、デジタル放送の受信が可能なデジタル放送受信装置であって、デジタル放送を受信するデジタル放送受信手段と、ユーザが視聴している番組に係るデータ放送又は広告放送に係るデータ放送を前記デジタル放送受信手段が受信した際、番組又は広告放送の内容に関連する施設情報を抽出する施設情報抽出手段と、ユーザに対し種々の情報を報知する報知手段と、ユーザの操作を受け付ける受付手段と、種々の情報を記憶する記憶手段と、種々の制御を行う制御手段とを備えている。そして、制御手段は、施設情報抽出手段が抽出した施設情報を報知手段を介して報知すると同時に、その施設情報を記憶手段に記憶させるか否かをユーザに問い合わせる問合せ処理を行い、問合せ処理の間、受付手段を介して、問合せ処理に係る施設情報を記憶させるか否かの選択を受け付け、その結果、施設情報を記憶手段に記憶させる選択を受け付けた場合、その施設情報を記憶手段に記憶させる。
【００１２】
ここで、番組とは、報道，娯楽の提供，観光スポットの紹介等を目的として放送されているコンテンツのことであり、広告放送とは、放送局が広告主から広告料を貰い、その広告主のための宣伝を目的として放送されているコンテンツのことである。
【００１３】
また、施設情報とは所定の施設に関する情報の集合であり、具体的には、施設の名称，住所，電話番号，位置情報，ＰＲ情報（文字データ、画像データ、音声データ等から構成されるその施設に関する広告）等から構成されている。
【００１４】
また、番組又は広告放送の内容に関連する施設情報とは、受信中のデジタルテレビ放送又はデジタルラジオ放送と同じチャンネルのデータ放送において送信される施設情報であって、ユーザが視聴中の番組等に登場した施設に関する、又は番組等の内容に密接な関係を有する施設等に関する施設情報のことである。
【００１５】
こうすることにより、ユーザが視聴している番組や広告放送の内容に関連した施設情報をデータ放送にて受信した場合、ユーザの要求に応じてこれらの施設情報を記憶手段に記憶させることができる。従って、ユーザは、番組等を視聴中に興味をもった施設の住所、
電話番号等の施設情報をユーザ自身で記憶したりメモを取ったりする必要が無くなり、デジタル放送受信装置の利便性が向上する。また、ユーザが要求した場合のみ施設情報を記憶することとしているため、不要な施設情報を記憶させて記憶手段の記憶領域を無駄にすることがなくなり、デジタル放送受信装置の記憶手段を効率よく使用することができる。
【００１６】
また、問合せ処理において施設情報の一部のみをユーザに報知し、ユーザの要求に応じて問合せ処理に係る施設情報の詳細な内容を報知することとしても良い。こうすることにより、ユーザは受信した施設情報の詳細な内容を確認して施設情報を記憶するか否か判断することが可能となり、デジタル放送受信装置の利便性が向上するといえる。
【００１７】
ここで、デジタル放送受信装置は施設情報を連続して受信する場合もあり、そのような場合は複数の問合せ処理を同時に行う必要がある。このような場合の問合せ処理において、ユーザがデジタル放送受信装置に記憶させる施設情報を選択する際に支障をきたさないような問合せ処理の方法について検討する。
【００１８】
ユーザが視聴しているコンテンツが番組から広告放送に切り替わった場合、番組の内容に関連する施設情報に係る問合せ処理と、広告放送の内容に関連する施設情報に係る問合せ処理とが同時に行われてしまう場合がある。このような場合、ユーザはこれらの問合せ処理の区別がつかなくなってしまうことが予想される。
【００１９】
そこで、請求項２に記載のデジタル放送受信装置では、制御手段は、問合せ処理に係る施設情報が、番組の内容に関連する施設情報であるか、又は広告放送の内容に関連する施設情報であるかを明示する態様により問合せ処理を行う。
【００２０】
こうすることにより、番組の内容に関連する施設情報に係る問合せ処理と、広告放送の内容に関連する施設情報に係る問合せ処理とが同時に行われた場合に、ユーザが誤って不要な施設情報をデジタル放送受信装置に記憶させてしまうことを防止することができる。
【００２１】
また、問合せ処理が、その問い合わせに係る施設が紹介された番組等が終了した後も長時間継続して行われた場合、ユーザが視聴している番組等の内容に関連しない施設情報（受信中のデジタルテレビ放送またはデジタルラジオ放送と同じチャンネルのデータ放送において送信される施設情報であって、ユーザが視聴中の番組等の内容とは全く関係の無い施設情報）に係る問合せ処理が長時間行われてしまう。特に広告放送は、異なる内容のものが短い時間間隔で連続して放送されるため、連続的に多くの問合せ処理が発生する場合があり、ユーザが視聴している広告放送等の内容に関連しない施設情報に係る問合せ処理が複数行われてしまう場合がある。そうすると、ユーザは、現在行われている問合せ処理が、視聴中の広告放送等で紹介された施設に関するものであると勘違いしてしまうおそれがある。
【００２２】
そこで、請求項３に記載のデジタル放送受信装置では、制御手段は、施設情報抽出手段が施設情報を抽出した後から、抽出後、所定の時間が経過するまで、継続してその施設情報に係る問合せ処理を行い、所定の時間が経過した際、問合せ処理を終了する。
【００２３】
また、請求項４に記載のデジタル放送受信装置では、制御手段は、施設情報抽出手段が施設情報を抽出した後から、その施設情報を受信した際に受信していた番組又は広告放送が終了した後所定の時間が経過するまで、継続して問合せ処理を行い、所定の時間が経過した際、問合せ処理を終了する。
【００２４】
また、請求項５に記載のデジタル放送受信装置では、制御手段は、施設情報抽出手段が施設情報を抽出した後から、新たな施設情報を抽出するまで、継続して問合せ処理を行い
、施設情報抽出手段が新たな施設情報を抽出した際、問合せ処理を終了する。
【００２５】
請求項３から請求項５に記載のデジタル放送受信装置では、ユーザが視聴している広告放送等の内容に関連しない施設情報に係る問合せ処理が長時間にわたって行われることは無い。従って、ユーザが誤って不要な施設情報をデジタル放送受信装置に記憶させてしまうことを防止することができる。
【００２６】
尚、問合せ処理にて問い合わせが行われている施設情報に係る施設が紹介されている広告放送等が終了すると同時に、その問合せ処理を終了することとしても良い。こうすることにより、ユーザが視聴している広告放送等の内容に関連しない施設情報に係る問合せ処理が行われることは無くなり、ユーザが誤って不要な施設情報をデジタル放送受信装置に記憶させてしまうことを防止することができる。
【００２７】
請求項３又は請求項４に記載の発明のように、施設情報の受信、又は番組等の終了から所定の時間継続して問合せ処理を行うこととした場合、複数の問合せ処理を同時に行う必要がある。また、一つの番組や一つの広告放送において複数の施設情報を受信した場合、これらの施設情報は関連性を有する場合もあり、これらの問合せ処理を同時に行ったほうが良い場合もある。
【００２８】
このような場合を想定して、請求項６に記載のデジタル放送受信装置は、報知手段は表示機能を有しており、制御手段は、問合せ処理の最中に施設情報抽出手段が新たな施設情報を抽出した場合、問合せ処理において、実行中の問合せ処理に係る施設情報と、新たに抽出した施設情報とを報知手段に一覧形式で表示させ、これらの施設情報を記憶手段に記憶させるか否かをユーザに問い合わせる。
【００２９】
こうすることにより、ユーザは問合せ処理の対象となっている施設情報を把握することが容易になり、デジタル放送受信装置の利便性を向上させることができる。尚、問合せ処理において一覧表により報知されている施設情報の全部又は一部をユーザが一括して選択し、選択された施設情報を全て記憶させることを可能としても良い。
【００３０】
また、問合せ処理にて表示される一覧表において施設情報の一部のみを表示し、ユーザの要求に応じて施設情報の全内容を報知することとしても良い。こうすることにより、ユーザは受信した施設情報の詳細な内容を確認して施設情報を記憶するか否か判断することが可能となり、デジタル放送受信装置の利便性が向上するといえる。
【００３１】
しかし、上述したデジタル放送受信装置では、ユーザが記憶させたいと考えている施設情報が明確である場合であっても、問合せ処理においてユーザが記憶することを要求しなければ施設情報を記憶させることができない。
【００３２】
そこで、請求項７に記載のデジタル放送受信装置では、制御手段は、施設情報抽出手段が抽出した施設情報を記憶手段に記憶する条件の入力を受付手段を介して受け付け、施設情報抽出手段により抽出された施設情報のうち、その条件に合致する施設情報については、問合せ処理を行うことなく記憶手段に記憶させる。
【００３３】
こうすることにより、必要な施設情報の条件を入力しておけば、その条件に合致する施設情報を受信した際に自動的に記憶手段に記憶されるため、デジタル放送受信装置の利便性が向上する。
【００３４】
しかし、ユーザが必要と判断した施設情報をデジタル放送受信装置に記憶させるだけでは、上述したデジタル放送受信装置単体ではこれらの情報を利用することができない。そ
こで、請求項８に記載のデジタル放送受信装置では、制御手段は、記憶手段に記憶されている施設情報の全部又は一部の情報を、報知手段を介してユーザに報知する。こうすることにより、ユーザはデジタル放送受信装置に記憶されている施設情報を参照し、これらの情報を利用することができる。
【００３５】
また、ユーザが番組等を視聴している際は興味をもち、デジタル放送受信装置に記憶させた施設情報であっても、その後不要となることもある。そこで、請求項９に記載のデジタル放送受信装置では、制御手段は、受付手段を介して、記憶手段に記憶されている施設情報の選択を受け付け、選択された施設情報を記憶手段から削除する。こうすることにより、ユーザは不要な施設情報をいつでも削除することが可能となり、デジタル放送受信装置の記憶手段を効率良く使用することが可能となる。
【００３６】
しかしこのままでは、デジタル放送受信装置に記憶されている施設情報に基づきナビゲーション装置にて目的地の検索を行う場合や、目的地を設定して経路案内を行う場合には、ユーザ自身で施設情報をナビゲーション装置に入力しなければならず、手間がかかる。
【００３７】
そこで、請求項１０に記載のナビゲーション装置は、請求項１から請求項９のいずれかに記載のデジタル放送受信装置を備えており、デジタル放送受信装置が備える記憶手段に記憶されている施設情報を報知する施設情報報知手段と、施設情報報知手段により表示されている施設情報のユーザによる選択を受け付ける選択受付手段と、施設の位置を特定する位置情報とその施設の内容に関する情報とを少なくとも含む施設検索情報、及び経路案内に必要な地図データを入力する地図情報入力手段と、地図情報入力手段から入力される施設検索情報を参照し、選択受付手段を介してユーザにより選択された施設情報に係る施設の位置情報を検索する施設検索手段と、選択受付手段を介してユーザにより選択された施設情報に含まれている位置情報、又は施設検索手段により検索された位置情報に基づき、地図情報入力手段から入力される地図データから経路を算出し、その経路に基づき経路案内を行う経路案内手段とを備えている。
【００３８】
こうすることにより、ナビゲーション装置はユーザが選択した施設情報を直接参照することが可能となる。選択された施設情報に位置情報が含まれている場合、位置情報に基づき経路案内を行うことが可能となる。また、位置情報が含まれていない場合であっても、選択された施設情報が有する施設の電話番号、住所等の情報からその施設の位置情報を検索し、その位置情報に基づき経路案内を行うことができる。このように、ユーザは、ナビゲーション装置に施設情報を自ら入力しなくても経路案内を受けることが可能となるため、ナビゲーション装置の利便性を大幅に向上させることができる。
【００３９】
尚、問合せ処理にてユーザが施設情報を記憶することを選択した後、更にその施設情報に係る施設を目的地として設定するか否かの問合せを行っても良い。そして、ユーザがその施設を目的地として設定することを選択した場合、その施設情報に基づきその施設の場所を特定し、現在地からその施設までの経路案内を開始すると良い。こうすることにより、受信した施設情報に基づき早急に経路案内を開始することが可能となり、ナビゲーション装置の利便性を向上することができる。
【００４０】
また、請求項１１に記載されているように、請求項１から請求項１０のいずれかに記載のデジタル放送受信装置の制御手段として機能させるためのプログラムを、デジタル放送受信装置が内蔵するコンピュータに実行させるようになっていても良い。
【００４１】
また、請求項１２に記載されているように、請求項１１に記載のナビゲーション装置の前記施設情報報知手段、前記選択受付手段、前記検索手段及び前記経路案内手段のいずれかの手段として機能させるためのプログラムを、ナビゲーション装置が内蔵するコンピュ
ータに実行させるようになっていても良い。
【００４２】
請求項１２又は請求項１３の記載の様になっていれば、例えば、光磁気ディスク、ＣＤ−ＲＯＭ、ハードディスク、ＲＯＭ、ＲＡＭ等のコンピュータが読みとり可能な記録媒体にプログラムを記録し、そのプログラムを必要に応じてコンピュータにロードして起動することによりデジタル放送受信装置又はナビゲーション装置として機能させることができる。また、プログラムはネットワークを用いて流通させることも可能であるため、デジタル放送受信装置又はナビゲーション装置の機能向上も容易となる。
【発明を実施するための最良の形態】
【００４３】
以下、本発明の実施形態について図面を用いて説明する。尚、本発明の実施の形態は、下記の実施形態に何ら限定されることはなく、本発明の技術的範囲に属する限り種々の形態を採りうる。
【００４４】
［構成の説明］
図１は、ナビゲーション装置１０の構成を示すブロック図である。ナビゲーション装置１０は、アンテナユニット１１と、デジタル放送受信部１２と、デコーダ１３と、記憶部１４と、地図データ入力部１５と、表示部１６と、操作部１７と、音声出力部１８と、位置検出器１９と、制御部２０とを備える。
【００４５】
アンテナユニット１１は、放送基地局から送信されるデジタル放送を受信する。
デジタル放送受信部１２は、制御部２０から指定された選局チャンネルの受信信号を、所定の中間周波信号に周波数変換する。そして、この周波数変換された受信信号（中間周波信号）をＯＦＤＭ復調し、ＴＳ信号（ＴＳ：トランスポートストリーム）を生成する。
【００４６】
デコーダ１３は、ＴＳ信号の復号を行い、映像データ、音声データ、付属データを生成する。
記憶部１４は、記憶保持動作が不要なデバイス（例えば、ＨＤＤ）から構成され、各種情報を記憶することができる。
【００４７】
地図データ入力部１５は、経路案内等を行う際に使用する地図データや、所定の施設を検索する際に用いる施設検索情報等の各種データを入力するための装置である。これらのデータの記憶媒体としては、そのデータ量が膨大であるため、ＣＤ−ＲＯＭやＤＶＤ−ＲＯＭを用いるのが一般的である。
【００４８】
表示部１６は、地図画面やＴＶ画面等の各種表示を行う部位であり、具体的にはＬＣＤや有機ＥＬ等から構成される。
操作部１７は、ユーザからの各種指示を受け付ける部位であり、具体的にはタッチスイッチやメカニカルなキースイッチ等から構成される。
【００４９】
音声出力部１８は、各種案内のための音声を出力する部位である。
位置検出器１９は、ＧＰＳ（Global Positioning System）用の人工衛星からの電波を、図示しないＧＰＳアンテナを介して受信して車両の位置、方位、速度等を検出するＧＰＳ受信機１９ａと、車両に加えられる回転運動の大きさを検出するジャイロスコープ１９ｂと、車両の前後方向の加速度等から走行した距離を検出するための距離センサ１９ｃとを備えている。そして、これら各センサ等１９ａ〜１９ｃは、各々が性質の異なる誤差を
有しているため、互いに補完しながら使用するように構成されている。
【００５０】
制御部２０は、ＣＰＵ、ＲＯＭ、ＲＡＭ、Ｉ／Ｏ及びこれらを接続するバスライン等からなる周知のマイクロコンピュータを中心に構成される。制御部２０はＲＯＭに記憶されているプログラムに従い本実施形態のナビゲーション装置の各部位を制御する。また、位置検出器１９からの各検出信号に基づき車両の現在位置を算出し、地図データ入力部１５を介して読み込んだ現在地付近の地図等を表示部１６に表示する処理や、車両の現在位置と操作部１７を介して入力された目的地までの最適な経路を算出し、その経路に従い経路案内を行う経路案内処理を行う。
【００５１】
［施設情報の説明］
ナビゲーション装置１０は、データ放送を介して受信した付随データの中からユーザが視聴中の番組、広告放送に関連する施設情報を抽出し、ユーザに対しこの施設情報を記憶するか否かの問合せを行う。図２には、データ放送により受信した施設情報を説明するため、施設情報のフォーマットの一例を記載している。
【００５２】
図２に記載されている施設情報は、時間１０５、放送種別１１０、分類１１５、住所１２５、電話番号１３０、名称１３５、ＰＲ情報１４０、ＰＲ映像１４５、及びＰＲ音声１５０から構成される。
【００５３】
時間１０５は、施設情報に係る番組又は広告放送が行われた時間を示す情報である。
放送種別１１０は、施設情報に係る番組が本放送であるか、広告放送であるかの種別を示す情報である。
【００５４】
分類１１５は、施設情報に係る施設の種類を示す情報であり、具体的には、食事、買い物、宿泊等を示す情報である。
経度／緯度１２０は、地図データ上の所定の位置を示す情報であり、施設情報に係る施設の位置を特定する情報である。
【００５５】
住所１２５は、施設情報に係る施設の住所を示す情報である。
電話番号１３０は、施設情報に係る施設の電話番号を示す情報である。
名称１３５は、施設情報に係る施設の名称を示す情報である。
【００５６】
ＰＲ情報１４０は、施設情報に係る施設を宣伝するための文字情報である。
ＰＲ映像１４５は、施設情報に係る施設を宣伝するための映像情報である。
ＰＲ音声１５０は、施設情報に係る施設を宣伝するための音声情報である。
【００５７】
［問合せ処理画面についての説明］
図３の問合せ画面２０５、問合せ画面２１０は、ナビゲーション装置１０が問合せ処理を行う際に表示する画面の一例である。制御部２０は、問合せ画面２０５、問合せ画面２１０を表示部１６に表示させる。
【００５８】
問合せ画面２０５は、デジタルラジオ放送を視聴中に、その番組又は広告放送の内容に関連する施設情報を受信した際に表示される画面である。この施設情報には、施設の位置
を特定する情報である位置情報が含まれており、その位置情報に基づきこの施設の付近の地図が表示される。そして、その地図を背景として、施設情報の記憶要求を受け付ける情報アイコン２０５ａと、施設の位置を示す目的地アイコン２０５ｂが表示される。操作部１７（タッチスイッチ）は表示部１６の表示面を全て覆うように備え付けられているため、ユーザが情報アイコン２０５ａに触れることにより、ナビゲーション装置１０は受信した施設情報の記憶要求を受け付けることができる。
【００５９】
ユーザが情報アイコン２０５ａに触れ、施設情報を記憶させることを選択した場合、問合せ画面２１０が表示される。問合せ画面２１０においても、問合せ画面２０５と同様に、ナビゲーション装置１０に記憶させた施設情報に係る施設の付近の地図が表示される。そして、その地図を背景として、この施設までの経路案内を行うか否かを問い合わせる経路案内メッセージ２１０ａ、はいアイコン２１０ｂ、及び、いいえアイコン２１０ｃが表示される。ユーザがはいアイコン２１０ｂに触れると、ナビゲーション装置１０はこの施設までの経路案内を開始し、ユーザが、いいえアイコン２１０ｃに触れると、ナビゲーション装置１０は問合せ画面２１０の表示を終了する。
【００６０】
［動作の説明］
次に、ナビゲーション装置１０の動作について説明する。
（１）施設情報受信処理
まず、ナビゲーション装置１０がデジタルテレビ放送又はデジタルラジオ放送を受信中にデータ放送を介して施設情報を受信した際の処理（施設情報受信処理）について、図４のフローチャートを用いて説明する。
【００６１】
Ｓ３０５では、制御部２０は、受信した施設情報が現在受信中の番組又は広告放送の内容に関連する施設情報であるか否かを判定する。データ放送では、同じチャンネルで放送されているデジタルテレビ又はデジタルラジオの番組等の内容とは関係の無い、独立した番組が放送される場合がある。このような場合を想定し、施設情報を受信した場合、受信中の番組等の内容に関連する施設情報であるか否か判定する必要がある。受信中の番組等の内容に関連する施設情報であるか否かの判定方法であるが、施設情報は番組等の内容に関連する施設情報であるか否かを示す情報を有することとし、制御部２０がその情報を参照してこの判定を行うと良い。受信中の番組等の内容に関連する施設情報を抽出した場合（Ｓ３０５：Ｙｅｓ）、Ｓ３１０に処理を移行し、受信中の番組等の内容に関連する施設情報を抽出していない場合（Ｓ３０５：Ｎｏ）、施設情報受信処理を終了する。
【００６２】
Ｓ３１０では、制御部２０は、現在受信中の番組又は広告放送の内容に関連する施設情報を制御部２０が有するＲＡＭに保存し、Ｓ３１５に処理を移行する。
Ｓ３１５では、制御部２０は問合せタイマを起動し、Ｓ３２０に処理を移行する。以後、制御部２０は、この問合せタイマを定期的にカウントアップする。この問合せタイマは、制御部２０が有するＲＡＭに保存されている施設情報毎に設けられており、施設情報に係る問い合わせの継続時間をカウントするために用いられる。
【００６３】
Ｓ３２０では、ナビゲーション装置１０は、制御部２０が有するＲＡＭに記憶されている施設情報を記憶部１４に記憶するか否かをユーザに問い合わせるサブルーチンである問合せ処理を実行し、問合せ処理の終了後、Ｓ３２５に処理を移行する。
【００６４】
Ｓ３２５では、制御部２０は、直前に行われた問合せ処理において記憶部１４に施設情報が記憶されたか否かの判定を行う。施設情報が記憶された場合（Ｓ３２５：Ｙｅｓ）、Ｓ３３０に処理を移行し、施設情報が記憶されていない場合（Ｓ３２５：Ｎｏ）、施設情報受信処理を終了する。
【００６５】
Ｓ３３０では、制御部２０は、記憶部１４に位置情報が記憶された施設情報に位置情報が含まれているか、又は、施設情報に関連付けて位置情報が記憶部１４に記憶されているか否か判定する。施設情報に位置情報が含まれている場合、又は、施設情報に関連付けて位置情報が記憶されている場合（Ｓ３３０：Ｙｅｓ）、Ｓ３３５に処理を移行し、施設情報に位置情報が含まれておらず、更に施設情報に関連付けて位置情報が記憶されていない場合（Ｓ３３０：Ｎｏ）、施設情報受信処理を終了する。
【００６６】
Ｓ３３５では、ナビゲーション装置１０は、直前に行われた問合せ処理にて記憶させた施設情報に係る施設までの経路案内を行うか否かを問い合わせるサブルーチンである経路案内問合せ処理を実行し、経路案内問合せ処理の終了後、施設情報受信処理を終了する。（２）問合せ処理
次に、施設情報受信処理のＳ３２０を実行する際に呼び出される処理である問合せ処理について、図５のフローチャートを用いて説明する。
【００６７】
Ｓ４０２では、制御部２０は、他の施設情報に係る問い合わせが行われているか否か判定する。他の施設情報に係る問い合わせが行われている場合（Ｓ４０２：Ｙｅｓ）、Ｓ４０４に処理を移行する。他の施設情報に係る問い合わせが行われていない場合（Ｓ４０２：Ｎｏ）、Ｓ４３２に処理を移行する。
【００６８】
Ｓ４０４では、制御部２０は、実行中の問い合わせに係る施設情報と、新たに抽出した施設情報を表示部１６に一覧形式で表示させる。さらに、制御部２０は、これらの施設情報を記憶部１４に記憶させるか否かの問い合わせを行うメッセージを表示部１６に表示させ、Ｓ４０６に処理を移行する。
【００６９】
Ｓ４０６では、制御部２０は、施設情報毎の問い合わせの継続時間をカウントしている問合せタイマを参照し、所定の継続時間に達したことにより終了させるべき問い合わせの有無を判定する。終了させるべき問い合わせが存在する場合（Ｓ４０６：Ｙｅｓ）、Ｓ４０８に処理を移行する。終了させるべき問い合わせが存在しない場合（Ｓ４０６：Ｎｏ）、Ｓ４１２に処理を移行する。
【００７０】
Ｓ４０８では、制御部２０は、継続時間が終了した施設情報についての表示を消去し、この施設情報についての問い合わせを終了する。そして、他の施設情報については引き続き問い合わせを行い、Ｓ４１０に処理を移行する。
【００７１】
Ｓ４１０では、制御部２０は、終了した問い合わせに係る施設情報を制御部２０が有するＲＡＭから消去し、Ｓ４３０に処理を移行する。
終了させるべき問い合わせが存在しない場合に行われるＳ４１２では、制御部２０は、表示部１６に一覧形式で表示されている施設情報の選択と、選択された施設情報の記憶要求を、操作部１７を介して受け付け、Ｓ４１４に処理を移行する。このとき、制御部２０は、１又は２以上の施設情報の記憶要求を受け付けることが可能である。
【００７２】
Ｓ４１４では、制御部２０は、Ｓ４１２にて記憶要求を受け付けたか否か判定する。記憶要求を受け付けた場合（Ｓ４１４：Ｙｅｓ）、Ｓ４１６に処理を移行し、記憶要求を受け付けていない場合（Ｓ４１４：Ｎｏ）、Ｓ４０６に処理を移行する。
【００７３】
Ｓ４１６では、制御部２０は、Ｓ４１２にて記憶要求を受け付けた施設情報を記憶部１４に記憶させ、Ｓ４１８に処理を移行する。
Ｓ４１８では、制御部２０は、記憶させた施設情報に位置情報が含まれているか否か判定する。位置情報が記憶されていない場合（Ｓ４１８：Ｎｏ）、Ｓ４２０に処理を移行する。位置情報が含まれている場合（Ｓ４１８：Ｙｅｓ）、Ｓ４２６に処理を移行する。
【００７４】
Ｓ４２０では、制御部２０は、施設情報に含まれている施設名称，電話番号，住所等の情報から施設の位置情報を、地図データ入力部１５から入力される施設検索情報から検索し、Ｓ４２２に処理を移行する。
【００７５】
Ｓ４２２では、制御部２０はＳ４２０にて行った施設の位置情報の検索が成功したか否かの判定を行う。位置情報の検索が成功した場合（Ｓ４２２：Ｙｅｓ）、Ｓ４２４に処理を移行する。位置情報の検索に失敗した場合（Ｓ４２２：Ｎｏ）、Ｓ４２６に処理を移行する。
【００７６】
Ｓ４２４では、制御部２０は、検索した位置情報を、Ｓ４１６にて記憶させた施設情報と関連付けて記憶部１４に記憶させ、Ｓ４２６に処理を移行する。
Ｓ４２６では、制御部２０は、Ｓ４１６にて記憶させた施設情報についての表示を表示部１６から消去させ、この施設情報についての問い合わせを終了する。そして、他の施設情報については引き続き問い合わせを行い、Ｓ４２８に処理を移行する。
【００７７】
Ｓ４２８では、制御部２０は、Ｓ４１６にて記憶させた施設情報を制御部２０が有するＲＡＭから消去し、Ｓ４３０に処理を移行する。
Ｓ４３０では、制御部２０は、全ての施設情報に係る問い合わせが終了したか否かを判定する。全ての施設情報に係る問い合わせが終了した場合（Ｓ４３０：Ｙｅｓ）、問合せ処理を終了し、施設情報受信処理のＳ３２０に処理を戻す。全ての施設情報に係る問い合わせが終了していない場合（Ｓ４３０：Ｎｏ）、Ｓ４０６に処理を移行する。
【００７８】
他の施設情報に係る問い合わせを行っていない場合に行われるＳ４３２の処理では、制御部２０は、抽出した施設情報を表示部１６に表示させる。さらに、制御部２０は、この施設情報を記憶部１４に記憶させるか否かの問い合わせを行うメッセージを表示部１６に表示させ、Ｓ４３４に処理を移行する。
【００７９】
Ｓ４３４では、制御部２０は、問い合わせの継続時間のカウントを行っている問合せタイマを参照し、問い合わせの継続時間が所定の継続時間に達しているか否かを判定する。所定の継続時間に達していない場合（Ｓ４３４：Ｎｏ）、Ｓ４３６に処理を移行し、所定の継続時間に達している場合（Ｓ４３４：Ｙｅｓ）、Ｓ４５０に処理を移行する。
【００８０】
Ｓ４３６では、制御部２０は、問い合わせを行っている施設情報の記憶要求を、操作部１７を介して受け付け、Ｓ４３８に処理を移行する。
Ｓ４３８では、制御部２０は、Ｓ４３６にて記憶要求を受け付けたか否か判定する。記憶要求を受け付けた場合（Ｓ４３８：Ｙｅｓ）、Ｓ４４０に処理を移行し、記憶要求を受け付けていない場合（Ｓ４３８：Ｎｏ）、Ｓ４３４に処理を移行する。
【００８１】
Ｓ４４０では、制御部２０は、問い合わせを行っている施設情報を記憶部１４に記憶させ、Ｓ４４２に処理を移行する。
Ｓ４４２では、制御部２０は、記憶させた施設情報に位置情報が含まれているか否か判定する。位置情報が含まれていない場合（Ｓ４４２：Ｎｏ）、Ｓ４４４に処理を移行する
。位置情報が含まれている場合（Ｓ４４２：Ｙｅｓ）、Ｓ４５０に処理を移行する。
【００８２】
Ｓ４４４では、制御部２０は、施設情報に含まれている施設名称，電話番号，住所等の情報から施設の位置情報を、地図データ入力部１５から入力される施設検索情報から検索し、Ｓ４４６に処理を移行する。
【００８３】
Ｓ４４６では、制御部２０はＳ４４４にて行った施設の位置情報の検索が成功したか否かの判定を行う。位置情報の検索が成功した場合（Ｓ４４６：Ｙｅｓ）、Ｓ４４８に処理を移行する。位置情報の検索に失敗した場合（Ｓ４４６：Ｎｏ）、Ｓ４５０に処理を移行する。
【００８４】
Ｓ４４８では、制御部２０は、検索した位置情報を、Ｓ４４０にて記憶させた施設情報と関連付けて記憶部１４に記憶させ、Ｓ４５０に処理を移行する。
Ｓ４５０では、制御部２０は、問い合わせに関する表示を表示部１６から消去させ、Ｓ４５２に処理を移行する。
【００８５】
Ｓ４５２では、制御部２０は、問い合わせに係る施設情報を制御部２０が有するＲＡＭから消去し、問合せ処理を終了し、施設情報受信処理のＳ３２０に処理を戻す。
（３）経路案内問合せ処理
次に、施設情報受信処理のＳ３３５を実行する際に呼び出される処理である経路案内問合せ処理について、図６のフローチャートを用いて説明する。
【００８６】
Ｓ５０５では、制御部２０は、記憶した施設情報に係る施設への経路案内を行うか否かを問い合わせるメッセージを表示部１６に表示させ、Ｓ５１０に処理を移行する。
Ｓ５１０では、制御部２０は、操作部１７を介して経路案内の要求を受け付け、Ｓ５１５に処理を移行する。
【００８７】
Ｓ５１５では、制御部２０は、Ｓ５１０にて経路案内の要求を受け付けたか否かの判定を行う。経路案内の要求を受け付けた場合（Ｓ５１５：Ｙｅｓ）、Ｓ５２０に処理を移行する。経路案内の要求を受け付けなかった場合（Ｓ５１５：Ｎｏ）、経路案内問合せ処理を終了し、施設情報受信処理のＳ３３５に処理を戻す。
【００８８】
Ｓ５２０では、制御部２０は、問合せ処理において複数の施設情報を記憶部１４に記憶したか否かの判定を行う。複数の施設情報を記憶した場合（Ｓ５２０：Ｙｅｓ）、Ｓ５２５に処理を移行する。一つの施設情報を記憶した場合（Ｓ５２０：Ｎｏ）、記憶された施設情報に係る施設までの経路案内を行うべくＳ５３０に処理を移行する。
【００８９】
Ｓ５２５では、制御部２０は、直前に実行された問合せ処理にて記憶した施設情報であって、経路案内が可能な施設情報を表示部１６に一覧形式で表示させる。そして、操作部１７を介してこれらの施設情報の中から一つの施設情報の選択を受け付け、選択された施設情報に係る施設までの経路案内を行うべくＳ５３０に処理を移行する。経路案内が可能な施設情報とは、位置情報を含んでいる施設情報、又は、問合せ処理にて検索を行った結果、施設情報に係る施設の位置情報が記憶部１４に記憶されている施設情報のことである。
【００９０】
Ｓ５３０では、制御部２０は、位置情報，位置検出器１９が検出した車両の現在地，地図データ入力部１５から入力される地図データ等に基づき経路案内処理を開始し、そして、経路案内問合せ処理を終了し、施設情報受信処理のＳ３３５に処理を戻す。具体的には
、制御部２０は、車両の現在地から位置情報により特定される地図データ上の所定の地点までの最適な経路を特定し、以降、制御部２０は表示部１６や音声出力部１８を介してその経路に基づく経路案内を行う。
（４）施設情報表示処理
次に、ナビゲーション装置１０がユーザから、記憶されている施設情報を表示させる要求を受け付けた際の処理（施設情報表示処理）について、図７のフローチャートを用いて説明する。
【００９１】
Ｓ６０５では、制御部２０は、記憶部１４に記憶されている施設情報を表示部１６に一覧形式にて表示させ、Ｓ６１０に処理を移行する。ここで、制御部２０は、経路案内が可能な施設情報と、経路案内が不可能な施設情報を異なる色で表示する。経路案内が可能な施設情報とは、位置情報を含んでいる施設情報又は、問合せ処理にて検索を行った結果、施設情報に係る施設の位置情報が記憶部１４に記憶されている施設情報のことである。
【００９２】
Ｓ６１０では、制御部２０は、一覧形式で表示されている施設情報の中から一つの施設情報の選択を操作部１７を介して受け付ける。その後、選択された施設情報を構成する全情報を報知させる報知要求、選択された施設情報を記憶部１４から消去する削除要求、選択された施設情報に係る施設への経路案内を行う経路案内要求、又は施設情報表示処理を終了させる終了要求を受け付ける。そして、これらの要求を受け付けた後、処理をＳ６１５に移行する。ここで、制御部２０は、経路案内が可能な施設情報が選択された場合のみ、経路案内要求を受け付ける。
【００９３】
Ｓ６１５では、制御部２０は、Ｓ６１０にて受け付けた要求を判定する。報知要求を受け付けた場合はＳ６２０へ、削除要求を受け付けた場合はＳ６２５へ、経路案内要求を受け付けた場合はＳ６３０へ処理を移行し、終了要求を受け付けた場合は施設情報表示処理を終了する。
【００９４】
Ｓ６２０では、制御部２０は、Ｓ６１０にて選択された施設情報を構成する文字情報、映像情報を表示部１６に表示させると共に、この施設情報を構成する音声情報を音声出力部１８に音声出力させ、Ｓ６３５に処理を移行する。
【００９５】
Ｓ６２５では、制御部２０は、Ｓ６１０にて選択された施設情報を記憶部１４から消去させ、Ｓ６０５に処理を移行する。
Ｓ６３０では、制御部２０は、Ｓ６１０にて選択された施設情報に係る施設の位置情報，位置検出器１９が検出した車両の現在地，地図データ入力部１５から入力される地図データ等に基づき経路案内処理を開始し、施設情報表示処理を終了する。具体的には、制御部２０は、車両の現在地から、位置情報により特定される地図データ上の所定の地点までの最適な経路を特定し、以降、制御部２０は表示部１６や音声出力部１８を介してその経路に基づく経路案内を行う。
【００９６】
Ｓ６３５では、制御部２０は、記憶部１４に記憶されている施設情報を表示部１６に一覧形式で表示させる一覧表示要求、Ｓ６２０にて全情報が報知された施設情報を記憶部１４から消去させる削除要求、Ｓ６２０にて全情報が報知された施設情報に係る施設への経路案内を行う経路案内要求、又は施設情報表示処理を終了させる終了要求を、操作部１７を介して受け付ける。そして、処理をＳ６４０に移行する。ここで、制御部２０は、Ｓ６２０にて全情報が報知された施設情報が、経路案内が可能な施設情報である場合のみ、経路案内要求を受け付ける。
【００９７】
Ｓ６４０では、制御部２０は、Ｓ６３５にて受け付けた要求を判定する。削除要求を受
け付けた場合はＳ６４５へ、経路案内要求を受け付けた場合はＳ６５０へ、一覧表示要求を受け付けた場合はＳ６０５へ処理を移行し、終了要求を受け付けた場合は施設情報表示処理を終了する。
【００９８】
Ｓ６４５では、制御部２０は、Ｓ６１０にて選択され、Ｓ６２０にて全情報が報知された施設情報を記憶部１４から消去し、Ｓ６０５に処理を移行する。
Ｓ６５０では、制御部２０は、Ｓ６２０にて全情報が報知された施設情報に係る施設の位置情報，位置検出器１９が検出した車両の現在地，地図データ入力部１５から入力される地図データ等に基づき経路案内処理を開始し、施設情報表示処理を終了する。具体的には、制御部２０は、車両の現在地から、位置情報により特定される地図データ上の所定の地点までの最適な経路を特定し、以降、制御部２０は表示部１６や音声出力部１８を介してその経路に基づく経路案内を行う。
【００９９】
［効果］
本実施形態のナビゲーション装置１０によれば、ユーザが視聴している番組や広告放送の内容に関連する施設情報をデータ放送を介して受信した場合（Ｓ３０５：Ｙｅｓ）、ユーザに対し問い合わせを行い（Ｓ４０４、Ｓ４３２）、ユーザが必要としている施設情報のみを記憶部１４に記憶させている（Ｓ４１６、Ｓ４４０）。そして、ユーザは、記憶させた施設情報の内容を参照することができる（Ｓ６２０）。従って、ユーザは、番組等を視聴している際に興味を持った施設に関する情報についてメモを取っておくといった必要が無くなり、ナビゲーション装置の利便性が向上する。また、ユーザが要求した施設情報のみを記憶する（Ｓ４１４：Ｙｅｓ、Ｓ４３８：Ｙｅｓ）ため不要な施設情報を記憶することがなくなり、記憶部１４を有効に利用することができる。
【０１００】
また、問合せ処理においてユーザが施設情報を記憶させ（Ｓ３２５：Ｙｅｓ）、記憶させた施設情報に基づき施設の位置を特定することができた場合（Ｓ３３０：Ｙｅｓ）、ナビゲーション装置１０は、記憶させた施設情報に係る施設への経路案内を行うか否かの問い合わせを行い（Ｓ５０５）、ユーザが要求した場合は（Ｓ５１５：Ｙｅｓ）その施設までの経路案内を行う（Ｓ５３０）。従って、番組等を視聴している際に興味を持った施設の施設情報をユーザ自身で入力しなくても、ユーザはその施設までの経路案内を受けることが可能となるため、ナビゲーション装置１０の利便性を向上させることができる。
【０１０１】
また、ユーザは不要となった施設情報を消去することが可能となっており（Ｓ６２５、Ｓ６４５）、ナビゲーション装置１０の記憶領域を有効に利用することができる。
また、ナビゲーション装置１０は、ユーザが記憶されている施設情報を選択することにより、この施設情報に係る施設への経路案内を行うことができ（Ｓ６３０、Ｓ６５０）、施設情報をユーザ自身で入力しなくても経路案内を受けることが可能となっている。従って、ナビゲーション装置の利便性を大幅に向上させることができる。
【０１０２】
また、問合せ処理を開始する際にタイマを起動し（Ｓ３１５）、番組等の内容に関連する施設情報を受信後、一定時間のみ問い合わせ処理を行うこととしている（Ｓ４０６、Ｓ４３４）。従って、ユーザが視聴している番組等の内容に関連しない施設情報についての問合せ処理が長時間にわたって行われることが無くなり、ユーザが誤って不要な施設情報をナビゲーション装置に記憶させてしまうことを防止することができる。
【０１０３】
また、複数の施設情報について問合せ処理を行う際、ナビゲーション装置１０はこれらの施設情報を一覧形式で表示して問合せ処理を行う（Ｓ４０４）。従って、ユーザは問合せ処理の対象となっている施設情報を把握することが容易になり、ナビゲーション装置の
利便性を向上させることができる。
【０１０４】
［他の実施形態］
（１）複数の施設情報の問合せ処理を同時に行う際、表示する施設情報の背景色を施設情報が紹介された番組又は広告放送毎に異なる色にすると良い。こうすることにより、ユーザは、施設情報に係る施設が紹介され、その施設に興味を持つきっかけとなった広告放送等を容易に区別することができ、記憶させる施設情報の選択を誤ることを減少させることが可能となる。
（２）記憶手段に記憶されている施設情報を、他のナビゲーション装置やＰＣからアクセス可能な形式で外部記憶媒体に記憶させることを可能にすると良い。こうすることにより、ユーザは、記憶させた施設情報を有効に活用することが可能となる。
【０１０５】
［特許請求の範囲との対応］
上記実施形態の説明で用いた用語と、特許請求の範囲の記載に用いた用語との対応を示す。
【０１０６】
アンテナユニット１１、デジタル放送受信部１２、デコーダ１３、記憶部１４、表示部１６、操作部１７、音声出力部１８、及び制御部２０がデジタル放送受信装置に相当する。
【０１０７】
このうち、アンテナユニット１１がデジタル放送受信手段に相当し、デジタル放送受信部１２がデジタル放送受信手段に相当し、デコーダ１３が施設情報抽出手段に相当し、記憶部１４が記憶手段に相当し、地図データ入力部１５が地図情報入力手段に相当する。
【０１０８】
また、表示部１６が報知手段、施設情報報知手段、及び経路案内手段に相当し、操作部１７が受付手段  選択受付手段に相当し、音声出力部１８が報知手段、経路案内手段、及び経路案内手段に相当し、位置検出器１９が経路案内手段に相当し、制御部２０が施設情報抽出手段、制御手段、施設情報検索手段、及び経路案内手段に相当する。
【図面の簡単な説明】
【０１０９】
【図１】ナビゲーション装置の構成を示すブロック図である。
【図２】施設情報の説明図である。
【図３】問合せ処理を行う際に表示される画面の説明図である。
【図４】施設情報を受信した際の処理を説明するためのフローチャートである。
【図５】受信中の番組等の内容に関連する施設情報を記憶するか否かの問い合わせを行う際の処理を説明するためのフローチャートである。
【図６】記憶した施設情報に基づき経路案内を行うか否かの問い合わせを行う際の処理を説明するためのフローチャートである。
【図７】ユーザが記憶されている施設情報を参照等する際の処理を説明するためのフローチャートである。
【符号の説明】
【０１１０】
１０…ナビゲーション装置、１１…アンテナユニット、１２…デジタル放送受信部、１３…デコーダ、１４…記憶部、１５…地図データ入力部、１６…表示部、１７…操作部、１８…音声出力部、１９…位置検出器、１９ａ…ＧＰＳ受信機、１９ｂ…ジャイロスコープ、１９ｃ…距離センサ、２０…制御部。
【図１】
2008219510.tif 000003
【図２】
2008219510.tif 000004
【図４】
2008219510.tif 000005
【図５】
2008219510.tif 000006
【図６】
2008219510.tif 000007
【図７】
2008219510.tif 000008
【図３】
2008219510.tif 000009